(57)【特許請求の範囲】
【請求項１】
フレーム間に並設した多数の搬送ローラ軸に搬送ローラを転動自在に挿合して搬送面を構成させ、フレームの搬送方向端近くの複数の搬送ローラの下部に少なくとも１つの駆動ローラを配置した前記駆動ローラの軸を直接モータで軸駆動する駆動ローラコンベヤにおいて、
前記駆動ローラの上部に位置する搬送ローラを挿合する複数の搬送ローラ軸における一方の端部側には、前記搬送ローラの搬送面を構成する表面よりも摩擦抵抗の大きい樹脂又はローレット掛けした表面を有し、前記駆動ローラに接する前記搬送ローラと同径の第１の高摩擦ローラを固着すると共に、
各搬送ローラ軸の他方の端部側には、前記搬送ローラの搬送面を構成する表面よりも摩擦抵抗の大きい樹脂又はローレット掛けした表面を有する第２の高摩擦ローラを固着し、
前記各搬送ローラ軸の他方の端部側に沿うフレームの内側面に支持部材を設け、該支持部材の上部には、隣接する２本の前記第２の高摩擦ローラの下面にそれぞれ弾力的に当接する連動ローラを配置し、
前記駆動ローラは、前記搬送ローラ及び前記連動ローラよりも大径である
ことを特徴とする駆動ローラコンベヤ。
【請求項２】
前記連動ローラは、前記支持部材の上にスプリングを介して上向きに付勢された保持具に回動自在に支持されていることを特徴とする請求項１に記載の駆動ローラコンベヤ。
【請求項３】
前記駆動ローラを前記フレームの搬送方向の両端近くの複数の搬送ローラの下部にそれぞれ１つずつ配置し、前記各駆動ローラの軸を直接各１台のモータで軸駆動することを特徴とする請求項１に記載の駆動ローラコンベヤ。
【発明の詳細な説明】
【０００１】
【発明の属する技術分野】
本発明は、平ベルトを必要としないローラコンベヤであって、比較的小型軽量の製品を搬送する小型サイズの駆動ローラコンベヤに関するものである。
【０００２】
【従来の技術】
従来のこの種のコンベヤは、実開昭６３−６７５１５号に示されるように、搬送ローラの下面に駆動ベルトを配置し、多数の圧力ローラを用いて駆動ベルトを搬送ローラに圧接させて搬送ローラを回転させるようになっている。また、各搬送ローラ軸の片側に搬送ローラと同径の固定ローラを固着し、固定ローラ部分の下側にエンドレスの高摩擦平ベルトを配置し、平ベルトの駆動により固定ローラを介して搬送ローラを回転させたものも知られている。しかしながら、上記コンベヤにおいては、平ベルトの巾が狭いため蛇行しやすく、またベルトの損傷が激しく、ベルトのジョイント部分が破損しやすいという欠点を有している。
【０００３】
【発明が解決しようとする課題】
上記のように、通常ローラコンベヤは、モータ駆動により高摩擦平ベルトを回転させ、該ベルトの回転により搬送ローラを回転するようにしたので平ベルトによる欠点が生じることとなる。
本発明は、従来の課題を解決するためになされたもので、平ベルトを使用することなく簡単な構造で搬送ローラを回転させることができる駆動ローラコンベヤを提供することを目的とする。
【０００４】
【課題を解決するための手段】
上記目的を達成するため、本発明の駆動ローラコンベヤは、フレーム間に並設した多数の軸に搬送ローラを転動自在に挿合して搬送面を構成させ、フレーム端近くの複数の搬送ローラの下部に少なくとも１つの駆動ローラを配置した軸動の駆動ローラコンベヤにおいて；コンベヤの頭尾部にある複数の搬送ローラ軸における一方の端部側に前記駆動ローラに接する摩擦抵抗の大きい第１の高摩擦ローラを固着すると共に、各搬送ローラ軸の他方の端部側に第２の高摩擦ローラを固着し；前記搬送ローラ群の一方の端部側に沿うフレームの内側面に支持部材を設け、該支持部材の上部には、隣接する２本の第２の高摩擦ローラの下面にそれぞれ弾力的に当接する連動ローラを多数配置したことを特徴とする。
また、連動ローラは、前記支持部材の上にスプリングを介して上向きに付勢された保持具に回動自在に支持されていることを特徴とする。さらに、搬送ローラは、そのコンベヤ幅方向に複数に分割されていることを特徴とする。
【０００５】
上記のように構成された本発明によれば、ローラ駆動によるローラコンベヤであるから、ベルト駆動によるローラコンベヤに比べると、コンベヤの構造が簡単で、故障が少なく、メンテナンスも容易である。
【０００６】
【発明の実施の形態】
以下本発明の実施の形態を図面に基づいて説明する。
図１は本発明駆動ローラコンベヤの正面図、図２は図１の平面図、図３は図１の側面図、図４は図２における裏面図である。
図示するように、本発明の駆動ローラコンベヤ１は、フレーム２、２間に並設した多数の軸１３にそれぞれ搬送ローラ３を転動自在に挿合して搬送面を構成させ、フレーム端近くの複数の搬送ローラの下部に駆動ローラ５、５を配置する。各搬送ローラの軸１３の一方の端部側に搬送ローラと同径の摩擦抵抗の大きい第１の高摩擦ローラ３ａを固着すると共に、コンベヤの頭尾部にある複数の搬送ローラ軸１３における他方の端部側に搬送ローラと同径で前記駆動ローラ５に接する摩擦抵抗の大きい第２の高摩擦ローラ３ｂを固着する。また、搬送ローラ群の一方の端部側に沿うフレームの内側面に、隣接する２本の第２の高摩擦ローラ３ｂ、３ｂにそれぞれ弾力的に当接する連動ローラ６を多数配置する。
【０００７】
図５は、搬送ローラ３と連動ローラ６の組付け部分の拡大斜視図である。
搬送ローラ群３の一方の端部側に沿うフレーム２の内側面にプレート７を固着して支持部材８を取付け、該支持部材８の上部には、隣接する２本の第２の高摩擦ローラ３ｂ、３ｂにそれぞれ弾力的に当接する連動ローラ６、６を多数配置する。各連動ローラ６は軸保持具９に回動自在に支持され、かつ支持部材８と軸保持具９との間に設けたコイルスプリング１１により上向きに、すなわち第１の高摩擦ローラ３ａに向け加圧状態に配置される。
なお、図５中、１０は連動ローラ軸、１２はフレーム２の上辺に形成させた搬送ローラ軸端を支持する軸受け用凹部、１４は軸受けピース、１５はビス、１６及び１８はボルト、１７及び１９は支持部材８にあけたボルト孔、１９ａはプレート７にあけたボルト孔である。
【０００８】
駆動ローラ５は、図示するように、ローラコンベヤ１の長手方向の前後端付近に２つ配置されているが、少なくとも１つの駆動ローラであっても機能を果たすことは勿論である。また、第１、第２の高摩擦ローラ３ａ、３ｂは、例えば、樹脂ローラやローレット掛けした金属ローラなどとすることで、高い摩擦面をもたせている。
【０００９】
図示実施例では、連動ローラ６は、全ての搬送ローラ間に設けられているが、駆動ローラの駆動を搬送ローラに伝達できれば、適宜数省いてもよい。また、連動ローラは軸保持具９に貫通させた軸１０の両端に回動自在に支持させたが、回転可能な軸に連動ローラを固着させてもよい。さらに、軸保持具９をブロック状とする代わりにコ字形支持金具とし、その金具内にそれぞれ１個の連動ローラを設けたものとしてもよい（図示省略）。なお、前記連動ローラ６は、高い摩擦力を有するローラ面とすることが望ましい。
【００１０】
上記構成の駆動ローラコンベヤの作用について説明する。
モータ４の駆動により駆動ローラ５、５に接する第１の高摩擦ローラ３ａ、３ａを回動させるとともに同軸上で搬送ローラ軸１３、１３の他端側の第２の高摩擦ローラ３ｂ、３ｂを回動させる。高摩擦ローラ３ｂ、３ｂの回動により、連動ローラ６及び隣接する搬送ローラ軸１３の第２の高摩擦ローラ３ｂを介して各搬送ローラ３、３を同期回転させて被搬送物を搬送する。このとき、各搬送ローラ３は高摩擦ローラを固着した軸１３の回動につれて低摩擦で回動する。
【００１１】
第６図は、本発明ローラコンベヤの他の実施例を示すものであって、搬送ローラ３ｄを分割ローラで構成させる以外は、前記実施例と同様である。
この場合の搬送ローラは分割ローラ３ｄとされているので、搬送路において物（被搬送品）が滞留したときストレージ機能が円滑に発揮され、ローラコンベヤの使用範囲を広げることが可能となる。
【００１２】
【発明の効果】
以上のように、本発明の駆動ローラコンベヤは、頭尾部にある複数の搬送ローラ軸における他方の端部側に駆動ローラに接する摩擦抵抗の大きい第１の高摩擦ローラを固着すると共に、各搬送ローラの軸の一方の端部側に第２の高摩擦ローラを固着し、さらに一方のフレームの内側に隣接する２本の第２の高摩擦ローラにそれぞれ弾力的に当接する連動ローラを配置しているため、連動ローラ及び隣接する搬送ローラ軸の第２の高摩擦ローラを介し各搬送ローラを同期回転させて被搬送物をスムーズに搬送することができる。また、本発明では、平ベルトを使用することがなく、かつ、連動ローラをスプリングで加圧状態に取付けて搬送ローラを回転せしめることができので、ベルト駆動コンベヤに比べて故障が少なく、何らの調整の必要もないメンテナンスの容易な駆動ローラコンベヤとすることができる。
【図面の簡単な説明】
【図１】本発明の一実施例に係る駆動ローラコンベヤの正面図である。
【図２】図１の平面図である。
【図３】図１の側面図である。
【図４】図２における裏面図である。
【図５】搬送ローラと連動ローラの組付け部分の拡大斜視図である。
【図６】本発明の他の実施例に係る駆動ローラコンベヤの平面図である。
【符号の説明】
１  ローラコンベヤ                ２  フレーム
３  搬送ローラ                    ３ａ、３ｂ  高摩擦ローラ
３ｄ  分割ローラ                  ４  駆動モータ
５  駆動ローラ                    ６  連動ローラ
７  支持プレート                  ８  支持部材
９  軸保持具                      １０  連動ローラ軸
１１  スプリング                  １２  軸受け用凹部
１３  搬送ローラの軸              １４  軸受けピース
１５  ビス                        １６、１８  ボルト
１７、１９、１９ａ  孔
【図１】
0004902072.tif 000002
【図２】
0004902072.tif 000003
【図３】
0004902072.tif 000004
【図４】
0004902072.tif 000005
【図５】
0004902072.tif 000006
【図６】
0004902072.tif 000007